(57)【要約】【課題】本発明はサクションタンクのユニット本体への着脱を容易にし、併せてバキュームタンク取り外し時に汚水管からこぼれた汚水によって制御装置や配水管等の排水機構以外の機能体に悪影響を与えるおそれのないサクションタンク取付構造を提供する。【解決方法】円筒状のサクションタンクの下部後方に突設されたサクションタンク排水管と、ユニット本体に配設され、サクションタンク排水管を挿入・嵌合する排水管嵌合部と、排水管嵌合部とサクションタンク排水管の嵌合をロックするキャッチ機構とで構成され、該キャッチ機構が、サクションタンク本体の後方に突設された契合突起と、前記契合突起を両側から挟持する２本の柱状契合部材と、前記２本の柱状契合部材を接合する方向に作用するバネ体とでなり、前記バネ体は前記排水管嵌合部の上面に短尺のアームで固着された歯科治療装置用ユニットへのサクションタンク取付構造。【選択図】図２
2014140519.tif 000002
【特許請求の範囲】
【請求項１】
歯科治療装置用ユニット本体へのサクションタンクの取付構造が、円筒状のサクションタンクの下部後方に突設された短尺のサクションタンク排水管と、ユニット本体に配設された前記サクションタンク排水管を挿入・嵌合する排水管嵌合部と、該排水管嵌合部と前記サクションタンク排水管の嵌合をロックするキャッチ機構とで構成されてなることを特徴とする歯科治療装置用ユニット本体へのサクションタンクの取付構造。
【請求項２】
排水管嵌合部と前記サクションタンク排水管の嵌合をロックするキャッチ機構が、前記サクションタンクの後方に突設された前部の挿入部と後部の契合部とからなる菱形の先端部を持つ契合突起と、前記契合突起を両側から挟持する２本の柱状契合部材と、前記２本の柱状契合部材を接合する方向に作用するバネ体とでなり、前記バネ体は前記排水管嵌合部の上面に短尺のアームによって固着されてなることを特徴とする請求項１に記載の歯科治療装置用ユニット本体へのサクションタンクの取付構造。
【発明の詳細な説明】
【技術分野】
【０００１】
本発明は歯科治療装置用ユニットに関し、特にユニット本体へのサクションタンクの取付構造に関する。
【背景技術】
【０００２】
従来の歯科治療装置用のユニット３０には、図６に示すにように、狭い空間に、カットフィルタ３３、サクションタンク３４、排水管路３５、制御基板３６、排水トラップ（図示せず）等の機能構造体が一体に設けられている。そして、前記サクションタンク３４は、図７（ａ）に示すように、ユニット本体のサクションタンク取付部４１にサクションタンクの下部を支持する支持板４２を介して取り付られ、そしてストッパーフック４３がバネ４５の作用によって前記支持板４２の垂直部４２ｂの前端に当接して〔図７（ｂ）参照〕サクションタンク３０の前方への離脱を抑止している。
【先行技術文献】
【特許文献】
【０００３】
【特許文献１】特開２００４−１８０７８２号公報
【発明の概要】
【発明が解決しようとする課題】
【０００４】
上記のように従来の歯科治療装置のサクションタンク３４は、ユニット本体のサクションタンク取付部４１にストッパーフック４３によってサクションタンク３４の前方への離脱が抑止されているので、サクションタンク３４を清掃するために取り出すには、片手でサクションタンク支持板４２の前部に設けられたタンク引出部４２ａを持ちもう一方の手で前記ストッパーフック４３による離脱抑止を解除するリリースフック４４を押し下げながら前記タンク引出部４２ａを手前に引いて排水管嵌合部からサクションタンクを離脱させる操作を行う必要がありユニット本体内の狭い空間内での着脱作業には困難か伴ってい
た。
また、サクションタンク３４を取り外した時に排水ホースから汚水がこぼれ、ユニット本体内を汚したり、ユニット本体内に設けられた制御基板に汚水がかかってその機能を損ねたりする等の不都合が生じる場合があった。
本発明は、上記背景技術の問題点に鑑み、サクションタンクのユニット本体への着脱を容易にし、併せてサクションタンク取り外し時に汚水管から汚水がこぼれたとしても、制御装置等排水機構以外の機能体に悪影響を与えるおそれのないサクションタンク取付構造を提供しようとするものである。
【課題を解決するための手段】
【０００５】
本発明者等は鋭意実験研究の結果、上記課題を下記の手段により解決した。
（１）歯科治療装置用ユニット本体へのサクションタンクの取付構造が、円筒状のサクションタンクの下部後方に突設された短尺のサクションタンク排水管と、ユニット本体に配設された前記サクションタンク排水管を挿入・嵌合する排水管嵌合部と、該排水管嵌合部と前記サクションタンク排水管の嵌合をロックするキャッチ機構とで構成されてなることを特徴とする歯科治療装置用ユニット本体へのサクションタンクの取付構造。
（２）排水管嵌合部と前記サクションタンク排水管の嵌合をロックするキャッチ機構が、前記サクションタンクの後方に突設された前部の挿入部と後部の契合部とからなる菱形の先端部を持つ契合突起と、前記契合突起を両側から挟持する２本の柱状契合部材と、前記２本の柱状契合部材を接合する方向に作用するバネ体とでなり、前記バネ体は前記排水管嵌合部の上面に短尺のアームによって固着されてなることを特徴とする（１）に記載の歯科治療装置用ユニット本体へのサクションタンクの取付構造。
【発明の効果】
【０００６】
本発明の歯科診断装置用ユニット本体へのサクションタンクの取付構造によって、下記の効果が発揮される
〈１〉歯科治療装置用ユニット本体へのサクションタンクの取付構造が、円筒状のバキュームタンクの下部後方に突設された短尺サクションタンク排水管と、ユニット本体に配設された前記サクションタンク排水管を挿入・嵌合する排水管嵌合部と、該排水管嵌合部と前記サクションタンク排水管の嵌合をロックするキャッチ機構とで構成されているので、サクションタンクの着脱を片手で容易に行うことができる。
〈２〉排水管嵌合部と前記短尺の排水管の嵌合をロックするキャッチ機構が、前記バキュームタンクの後方に突設された前部の挿入部と後部の契合部とからなる菱形の先端部を持つ契合突起と、前記契合突起を両側から挟持する２本の柱状契合部材と、前記２本の柱状契合部材を当接させる方向に作用するバネ体とでなり、前記バネ体は前記排水管嵌合部の上面に短尺のアームによって固着されているので、サクション本体下部のサクションタンク排水管の先端を排水管嵌合部に当接して押し込むだけでタンク後方の契合突起が２本の柱状契合部材の間に挿入されて前記排水管嵌合部と前記サクションタンク排水管の嵌合が確実にロックされ、また取り外す時はサクションタンクを前に引き出すだけで、キャッチ機構のロックが解除でき、同時にサクションタンク排水管が排水管嵌合部から離脱するため、サクションタンクの着脱が容易となり作業効率が向上する。
【図面の簡単な説明】
【０００７】
【図１】ユニット本体前面の点検扉を取り外したときの汚水処理部の正面図
【図２】サクションタンクの外観斜視図
【図３】サクションタンクの蓋を外したときの上部構造（ａ）と下部構造（ｂ）の組図
【図４】サクションタンク下部構造を下面から見た外観斜視図
【図５】排水管嵌合部の外観斜視図
【図６】サクションタンク取付機構の説明図
【図７】従来のユニット本体内の構造を示す外観斜視図
【図８】従来のサクションタンクの取付構造を示す斜視図
【発明を実施するための形態】
【０００８】
本発明を実施するための形態を実施例の図に基づいて説明する。
図１は、ユニット本体前面の点検扉を取り外したときのサクションタンクを含む汚水処理部の正面図である。図において、１はユニット本体、２は隔壁、３はサクションタンク、４はスピットンからの排水に含まれる固形物を除去する排水トラップ、５は排水管嵌合部、６は汚水吸引ホース、７はサクションポンプに接続されサクションタンク内の空気を吸引して排出する排気ホースを示す。
前記サクションタンク３は、図１に示すように、ユニット本体１内の前方部分に配設されており、ユニット本体１の前面の点検扉（図示せず）を取り外せば前方が解放されるため、サクションタンク３の清掃時におけるサクションタンク３の着脱作業が広い空間で支障なく容易に実施できる。
また、サクションタンク３が収納配置されている空間と、配水管路、制御基板等（図示せず）他の機能構造体が収納配設されている空間との間には隔壁２が設けられており、サクションタンク３を取り外した際などにこぼれ出た汚物や汚水が配水管路、制御基板等の収納空間に漏れ出るおそれがなく、ユニット１の安全性が確保されている。
【０００９】
図２はサクションタンクの外観斜視図である。図において、３ａはサクションタンク本体、３ｂはサクションタンクの蓋、６は歯科治療時に発生する汚物（汚液や歯の切削屑）を吸引するサクションシリンジやサライバエジェクター等の吸引器（図示せず）に接続され、汚物や汚液をサクションタンクに送り込む汚水吸引ホース、７はサクションポンプ（図示せず）に接続され、サクションタンク３内の空気等の気体を吸引排気する排気ホース、８は前記汚水吸引ホース７をサクションタンクの蓋３ｂに着脱するホース着脱部、８’は前記排気ホースを着脱するホース着脱部、１２はサクションタンク本体３ａとバキュームタンクの蓋３ｂとを契合するための契合用爪である。
そして１３はサクションタンク本体３ａの上部外周に設けられた契合用爪受け、１４はサクションタンクからの汚水を排出するサクションタンク排水管、１５は前記サクションタンク排水管１４の頸部に設けられた溝に嵌め込まれ、前記サクションタンク排水管１４をユニット本体１に設けられた排水機構部１９（図５参照）の排水管嵌合部５に嵌合したときの水漏れを防止するＯリングである。
【００１０】
このサクションタンク３は  歯科治療時に発生する汚物（汚液や歯の切削屑）や口腔内に注入された洗浄水を、サクションシリンジやサライバエジェクター等に接続された汚水吸引ホース６から受け取り、前記汚物や洗浄水はサクションタンク排水管１４からユニット本体１の排水機構部１９を経由して外部に排出される。
【００１１】
サクションタンク３をユニット本体１から取り出すには、前記２個所のホース着脱部８、８’を操作してサクションタンク３から汚水吸引ホース６及び排気ホース７を取り外し、サクションタンク３を手前に引き出すことによって行われる。
図３は、サクションタンクの蓋を外したときの上部構造（ａ）と下部構造（ｂ）の組図である。図において、１１はフロートで前記サクションタンク本体３ａ内が歯科治療時に発生する唾液や口腔内に注入された洗浄水等で満水になったとき、サクションポンプ（図示せず）による前記排気ホースからの排気を停止し、サクションタンク３内への汚水吸引を一時停止する作用を行う。
サクションタンク本体３ａを清掃する際には、まず、サクションタンク本体３ａをサクションタンクの蓋３ｂとの契合を解除する必要がある。これはサクションタンクの蓋３ｂに設けられている契合用爪１２をサクションタンクの蓋３ｂとともに回動させてサクションタンク本体３ａの上部外周に設けられた契合用爪受け１３から離脱させることによって可能になる。そしてその後、図３に示すように前記サクションタンク本体３ａをサクションタンクの蓋３ｂから取り外す。
サクションタンク本体３ａとサクションタンクの蓋３ｂを契合する際には、上記手順を逆に行えばよい。
【００１２】
図４は、サクションタンク本体下から見た外観斜視図である。図において、１４はサクションタンク排水管、１５はＯリング、１６は前部の挿入部１６ａと後部の契合部１６ｂとからなる菱形の先端部を持つ契合突起である。
図５は、ユニット本体に設けられた排水機構部の外観斜視図である。図において、５は排水管嵌合部、１７は前記サクションタンク３の下部後方に突設された契合突起１６をロックするキャッチ機構であり、隣接して立設された２本の契合部材１７ａ、１７ｂと、この２本の契合部材１７ａと１７ｂを接合する方向に作用するバネ体１７ｃとから構成されている。
本発明の歯科治療装置用ユニット本体１へのサクションタンク３の取り付けは、図４に示す円筒状のサクションタンク本体３ａの下部後方に突設された短尺のサクションタンク排水管１４を、図５に示すユニット本体１に配設された排水管嵌合部５に挿入嵌合することで行われる。そしてその嵌合をロックし安定に保持するためのキャッチ機構１７が設けられている。
このキャッチ機構１７は、前記サクションタンク本体３ａの下部後方に突設された契合突起１６を両側から挟持する２本の柱状契合部材１７ａ、１７ｂと、前記２本の柱状契合部材１７ａ、１７ｂを接合させる方向に作用するバネ体１７ｃとでなり、前記バネ体１７ｃは前記排水管嵌合部の上面に短尺のアームによって固着されている。したがって、２本の柱状契合部材１７ａ、１７ｂ間への前記契合突起１６の挿入部１６ａを挿入すると前記２本の柱状契合部材１７ａ、１７ｂの間隔が開き、挿入部１６ａが通過すると前記２本の柱状契合部材１７ａ、１７ｂが前記契合突起１６の契合部１６ｂの両側面に当接してロックする。なお前記契合突起１６の契合部１６ｂの両側面に浅い窪みを設けて前記２本の柱状契合部材１７ａ、１７ｂとの契合をより確実にしておくことも好ましい。
前記排水機構部１９の排水管嵌合部５の奥部下面には排水口２０が設けられ、この排水口２０には排水ホース（図示せず）が継ぎ手により接続されていて、サクションタンク３からの排水がユニット本体１から排出される。
１８はＬ字状の受け皿で排水機構部１９に排水管嵌合部５と密接して着設され、前記バキュームタンク３を取り外したときサクションタンク３と排水管嵌合部５から汚水が漏れても、受け皿１８に受け止められてユニット外に流れ出ることを防止している。
【００１３】
図６にサクションタンク３を排水機構部１９に取りつけたときの上面図（ａ）と断面図（ｂ）を示した。図に見られるように、サクションタンク本体３ａ下部のサクションタンク排水管１４の先端を排水管嵌合部５に当接して押し込むと、前記サクションタンク排水管１４と配水管嵌合部５との嵌合をロックするキャッチ機構１７によって  前記サクションタンク本体３ａの下部後方に突設された契合突起１６が該契合突起１６の契合部１６ｂを両側から挟持する２本の柱状契合部材１７ａ、１７ｂとの間に挿入され、前記バネ体１７ｃの作用によって前記２本の柱状契合部材１７ａ、１７ｂが押しつけられ確実に保持される。前記バネ体１７ｃは前記排水管嵌合部５の上面に短尺のアームによって固着されているので、前記契合突起１６の挿入も容易にできる。
また、サクションタンク３を清掃するために取り外すときも、サクションタンク３を片手で持ち手前に引き出すだけで、前記２本の契合部材１７ａ、１７ｂからバネ体１７ｃに抗してサクションタンク本体３ａの下部に突設された契合突起１６が外れ、同時にバキュームタンク排水管１４が排水機構部１９の排水管嵌合部５から離脱するので、極めて容易にサクションタンク３の取り外しができ、その清掃作業の効率も向上する。
【符号の説明】
【００１４】
１：ユニット本体
２：隔壁
３：サクションタンク
３ａ：サクションタンク本体
３ｂ：サクションタンクの蓋
４：排水トラップ
５：排水管嵌合部
６：汚水吸引ホース
７：排気ホース
８、８’：ホース着脱部
１１：フロート
１２：契合用爪
１３：契合用爪受け
１４：サクションタンク排水管
１５：Ｏリング
１６：契合突起
１６ａ：挿入部
１６ｂ：契合部
１７：キャッチ機構
１７ａ、１７ｂ：柱状契合部材
１７ｃ：バネ体
１８：受け皿
１９：排水機構部
２０：排水口
【図１】
2014140519.tif 000003
【図２】
2014140519.tif 000004
【図３】
2014140519.tif 000005
【図４】
2014140519.tif 000006
【図５】
2014140519.tif 000007
【図６】
2014140519.tif 000008
【図７】
2014140519.tif 000009
【図８】
2014140519.tif 000010